(57)【要約】      （修正有）【課題】眼位に関する状態の他覚的な検査を適切に行うことが可能な眼科装置を提供する。【解決手段】前眼部撮影部５０、固視標呈示部、および制御部７１を備える前眼部撮影部５０は、被検者の左眼および右眼の少なくとも一方の前眼部画像を撮影する。固視標呈示部は、被検者の左眼および右眼の少なくとも一方に固視標を呈示する。制御部７１は、前眼部撮影部５０によって撮影された前眼部画像を処理することで、被検者眼の眼位を測定する。制御部７１は、左眼および右眼の少なくとも一方に対する固視標の呈示と非呈示が切り替えられた呈示切替時よりも後のタイミング、および、呈示切替時以前のタイミングを含む少なくとも２つのタイミングにおける眼位の測定結果に基づいて、検査対象眼の眼位の状態を示す眼位状態情報を生成する。【選択図】図２
2019063238.tif 000002
【特許請求の範囲】
【請求項１】
被検者の視機能の検査を行う眼科装置であって、
前記被検者の左眼および右眼の少なくとも一方の前眼部画像を撮影する前眼部撮影部と、
前記被検者の左眼および右眼の少なくとも一方に固視標を呈示する固視標呈示部と、
前記眼科装置の制御を司る制御部と、
を備え、
前記制御部は、
前記前眼部撮影部によって撮影された前記前眼部画像を処理することで、前記被検者の左眼および右眼の少なくとも一方の眼位を測定すると共に、
前記被検者の左眼および右眼の少なくとも一方に対する前記固視標の呈示と非呈示が切り替えられた呈示切替時よりも後のタイミング、および、前記呈示切替時以前のタイミングを含む少なくとも２つのタイミングにおける検査対象眼の眼位の測定結果に基づいて、前記検査対象眼の眼位の状態を示す眼位状態情報を生成することを特徴とする眼科装置。
【請求項２】
請求項１に記載の眼科装置であって、
前記制御部は、
少なくとも前記呈示切替時以後における前記検査対象眼の眼位と時間の関係を示す眼位変化グラフのデータを、前記眼位状態情報として生成することを特徴とする眼科装置。
【請求項３】
請求項１または２に記載の眼科装置であって、
前記制御部は、
前記呈示切替時以前における少なくとも１つの切替前タイミングの前記検査対象眼の眼位の測定結果と、前記呈示切替時よりも後における少なくとも１つの切替後タイミングの前記検査対象眼の眼位の測定結果のずれ量を、前記眼位状態情報として生成することを特徴とする眼科装置。
【請求項４】
請求項３に記載の眼科装置であって、
前記制御部は、
前記呈示切替時から待機時間が経過したタイミングである基準タイミング以後の、少なくとも１つの前記切替後タイミングにおける眼位の測定結果に基づいて、前記ずれ量を生成することを特徴とする眼科装置。
【請求項５】
請求項４に記載の眼科装置であって、
前記制御部は、
前記基準タイミングを指定する指示の入力を受け付けると共に、
入力された前記指示に応じて前記基準タイミングを設定することを特徴とする眼科装置。
【請求項６】
請求項４に記載の眼科装置であって、
前記制御部は、
複数の前記切替後タイミングにおける前記検査対象眼の眼位の測定結果に基づいて、前記呈示切替時よりも後における前記検査対象眼の眼位が安定したタイミングを検出し、検出したタイミングを前記基準タイミングとして設定することを特徴とする眼科装置。
【請求項７】
請求項４に記載の眼科装置であって、
前記検査対象眼に測定光を出射し、前記検査対象眼によって反射された前記測定光の反射光を受光することで、前記検査対象眼の光学特性を他覚的に測定する他覚式測定部をさらに備え、
前記制御部は、
複数の前記切替後タイミングにおいて前記他覚式測定部によって測定された前記検査対象眼の光学特性の測定結果に基づいて、前記呈示切替時よりも後における前記検査対象眼の眼位が安定したタイミングを検出し、検出したタイミングを前記基準タイミングとして設定することを特徴とする眼科装置。
【請求項８】
請求項４から７のいずれかに記載の眼科装置であって、
前記制御部は、
前記基準タイミング以後における複数の前記切替後タイミングにおいて測定された複数の眼位の測定結果から、測定結果の平均値、測定結果の最大値と最小値の中間値、または、測定された頻度が最も多い最頻値を特定し、特定した値を用いて前記ずれ量を算出することを特徴とする眼科装置。
【請求項９】
請求項３に記載の眼科装置であって、
前記制御部は、
複数の前記切替前タイミングにおける複数の眼位の測定結果と、複数の前記切替後タイミングにおける複数の眼位の測定結果から、前記呈示切替時以前において測定された頻度が最も高い第１最頻値と、前記呈示切替時よりも後において測定された頻度が最も高い第２最頻値を特定し、
前記第１最頻値と前記第２最頻値のずれ量を前記眼位状態情報として算出することを特徴とする眼科装置。
【請求項１０】
請求項１から９のいずれかに記載の眼科装置であって、
前記制御部は、
前記固視標の呈示と非呈示が切り替えられた前記呈示切替時を取得し、
取得した前記呈示切替時に基づいて前記眼位状態情報を生成することを特徴とする眼科装置。
【請求項１１】
請求項１から１０のいずれかに記載の眼科装置であって、
前記前眼部撮影部は、不可視光を受光することで前記前眼部画像を撮影すると共に、
前記前眼部撮影部が受光する不可視光の少なくとも一部を透過し、且つ、前記固視標を呈示する可視光を遮断する可視光遮断部材が眼前に挿脱されることで、前記固視標の呈示と非呈示が切り替えられることを特徴とする眼科装置。
【請求項１２】
被検者の視機能の検査を行うために使用される眼科装置であって、
前記被検者の左眼および右眼の少なくとも一方の前眼部画像を撮影する前眼部撮影部と、
前記被検者の左眼および右眼の少なくとも一方に固視標を呈示する固視標呈示部と、
前記眼科装置の制御を司る制御部と、
を備え、
前記制御部は、
前記前眼部撮影部によって撮影された前記前眼部画像を処理することで、前記被検者の左眼および右眼の少なくとも一方の眼位を複数のタイミングで測定すると共に、
測定された眼位と時間の関係を示す眼位変化グラフのデータを生成することを特徴とする眼科装置。
【発明の詳細な説明】
【技術分野】
【０００１】
本開示は、被検者の視機能の検査を行う眼科装置に関する。
【背景技術】
【０００２】
従来、被検者の視機能の検査を行うための種々の眼科装置が知られている。例えば、特許文献１に記載の自覚式検眼装置は、屈折度の矯正が可能な矯正光学系を被検者の眼前に個別に配置し、矯正光学系を介して検査視標を被検者の眼底へ投光する。検者は、被検者の応答を受けて、被検者が適正に視標を見ることができるまで矯正光学系の調整を行うことで、被検者眼の屈折力を測定する。また、特許文献２に記載の自覚式検眼装置は、矯正光学系を介した検査視標画像を被検者の眼前に形成することで、矯正光学系を被検者の眼前に配置することなく屈折力を測定する。被検者の視機能には、屈折力以外にも、眼が向く方向である眼位に関する機能もある。
【先行技術文献】
【特許文献】
【０００３】
【特許文献１】特開平５−１７６８９３号公報
【特許文献２】米国特許第３８７４７７４号公報
【発明の概要】
【発明が解決しようとする課題】
【０００４】
従来の技術では、眼位に関する状態を他覚的に（客観的に）検査することは困難であった。例えば、眼位に関する状態の一つに斜位がある。斜位の有無を検査する方法として、例えば、カバーアンカバーテストが知られている。カバーアンカバーテストでは、片方の眼の視界を覆っていたカバーを取り外し、その際の眼の動きを検者が目視で確認することで、斜位の有無が検査される。この方法では、検査に熟練を要するうえに、検査結果を定量的に示すことも困難である。また、検眼装置によってプリズムを付加することで斜位検査を行う方法も存在するが、自覚的な検査であるため、被検者の応答によっては、検査結果が安定しない場合や、検査に時間を要する場合もあり得る。
【０００５】
本開示の典型的な目的は、眼位に関する状態の他覚的な検査を適切に行うことが可能な眼科装置を提供することである。
【課題を解決するための手段】
【０００６】
本開示における典型的な実施形態が提供する眼科装置の第１態様は、被検者の視機能の検査を行う眼科装置であって、前記被検者の左眼および右眼の少なくとも一方の前眼部画像を撮影する前眼部撮影部と、前記被検者の左眼および右眼の少なくとも一方に固視標を呈示する固視標呈示部と、前記眼科装置の制御を司る制御部と、を備え、前記制御部は、前記前眼部撮影部によって撮影された前記前眼部画像を処理することで、前記被検者の左眼および右眼の少なくとも一方の眼位を測定すると共に、前記被検者の左眼および右眼の少なくとも一方に対する前記固視標の呈示と非呈示が切り替えられた呈示切替時よりも後のタイミング、および、前記呈示切替時以前のタイミングを含む少なくとも２つのタイミングにおける検査対象眼の眼位の測定結果に基づいて、前記検査対象眼の眼位の状態を示す眼位状態情報を生成する。
【０００７】
本開示における典型的な実施形態が提供する眼科装置の第２態様は、被検者の視機能の検査を行うために使用される眼科装置であって、前記被検者の左眼および右眼の少なくとも一方の前眼部画像を撮影する前眼部撮影部と、前記被検者の左眼および右眼の少なくとも一方に固視標を呈示する固視標呈示部と、前記眼科装置の制御を司る制御部と、を備え、前記制御部は、前記前眼部撮影部によって撮影された前記前眼部画像を処理することで、前記被検者の左眼および右眼の少なくとも一方の眼位を複数のタイミングで測定すると共に、測定された眼位と時間の関係を示す眼位変化グラフのデータを生成する。
【０００８】
本開示に係る眼科装置によると、眼位に関する状態の他覚的な検査が適切に行われる。
【図面の簡単な説明】
【０００９】
【図１】眼科装置１の外観斜視図である。
【図２】左眼用測定部７Ｌの構成を示す図である。
【図３】本実施形態の眼科装置１の内部を正面方向（図１のＡ方向）から見た概略構成図である。
【図４】本実施形態の眼科装置１の内部を右側面方向（図１のＢ方向）から見た概略構成図である。
【図５】本実施形態の眼科装置１の内部を上方（図１のＣ方向）から見た概略構成図である。
【図６】被検者の右眼の前眼部画像１１０の一例を示す図である。
【図７】斜位検査において、検査対象眼への固視標３１Ｋの呈示が非呈示に切り替えられる前の眼位を示す模式図である。
【図８】斜位検査において、検査対象眼への固視標３１Ｋの呈示が非呈示に切り替えられてから十分な時間が経過した後の眼位を示す模式図である。
【図９】眼位変化グラフの一例を示す図である。
【図１０】同一の時間帯における眼位変化グラフと光学特性変化グラフを比較した図である。
【図１１】眼位測定結果の値毎の測定頻度を示すヒストグラムである。
【発明を実施するための形態】
【００１０】
＜概要＞
本開示で例示する眼科装置は、前眼部撮影部、固視標呈示部、および制御部を備える。前眼部撮影部は、被検者の左眼および右眼の少なくとも一方の前眼部画像を撮影する。固視標呈示部は、被検者の左眼および右眼の少なくとも一方に固視標を呈示することで、固視標を注視させる。制御部は、前眼部撮影部によって撮影された前眼部画像を処理することで、被検者の左眼および右眼の少なくとも一方の眼位を測定する。眼位とは、眼が向く方向である。制御部は、左眼および右眼の少なくとも一方に対する固視標の呈示と非呈示が切り替えられた呈示切替時よりも後のタイミング、および、呈示切替時以前のタイミングを含む少なくとも２つのタイミングにおける検査対象眼の眼位の測定結果に基づいて、検査対象眼の眼位の状態を示す眼位状態情報を生成する。
【００１１】
本開示で例示する眼科装置によると、固視標の呈示切替の前後における眼位の状態を示す眼位状態情報が、前眼部画像に基づいて得られる。従って、眼位に関する状態の他覚的な検査が、適切に実行される。
【００１２】
なお、前眼部画像から眼位を測定するための具体的な方法は、適宜選択できる。例えば、制御部は、前眼部画像を処理することで眼の瞳孔位置を検出し、検出した瞳孔位置に基づいて眼位を測定してもよい。この場合、瞳孔位置は、瞳孔のいずれの部位であってもよい。例えば、瞳孔の中心位置、および、瞳孔の外周端部の位置等の少なくともいずれかが、瞳孔位置として検出されてもよい。また、左眼および右眼の瞳孔間距離に基づいて眼位が測定されてもよい。
【００１３】
また、制御部は、前眼部画像を処理することで眼の角膜頂点位置を検出し、検出した角膜頂点位置に基づいて眼位を測定してもよい。角膜頂点位置は、例えば、眼に投影された視標像を検出し、検出した視標像の位置に基づいて検出されてもよい。また、左眼および右眼の角膜頂点間の距離に基づいて眼位が測定されてもよい。
【００１４】
また、制御部は、前眼部画像を処理することで眼の瞳孔位置と角膜頂点位置を共に検出し、検出した瞳孔位置および角膜頂点位置に基づいて眼位を測定してもよい。この場合、例えば、瞳孔中心位置と角膜頂点位置のずれに基づいて眼位が測定されてもよい。なお、眼位の絶対的な値が測定される必要は必ずしも無く、少なくとも眼位の変化が測定結果に基づいて判別できればよい。
【００１５】
制御部は、少なくとも呈示切替時以後における検査対象眼の眼位と時間の関係を示す眼位変化グラフのデータを、眼位状態情報として生成してもよい。この場合、固視標の呈示と非呈示を切り替えたことに起因する検査対象眼の眼位の時間変化が、眼位変化グラフによって適切に把握される。また、検者は、眼位変化グラフを見ることで、斜位の有無等の診断を行うことも可能である。ただし、眼科装置は、眼位変化グラフを生成せずに、眼位のずれ量（後述する）のみを生成してもよい。
【００１６】
なお、制御部は、眼位変化グラフを表示部に表示させてもよい。この場合、制御部は、検査対象眼の眼位の検査中に連続して眼位を測定し、検査中にリアルタイムで眼位変化グラフを表示部に表示させてもよい。また、制御部は、検査中に連続して撮影された前眼部画像に基づいて、検査後に眼位変化グラフのデータを生成してもよい。
【００１７】
また、眼位変化グラフは、例えば、複数の眼位の測定結果を測定タイミング毎にプロットしたグラフであってもよいし、複数の眼位の測定結果に基づいて生成された近似曲線のグラフであってもよい。
【００１８】
制御部は、固視標の呈示切替時以前における少なくとも１つの切替前タイミングの眼位の測定結果と、呈示切替時よりも後における少なくとも１つの切替後タイミングの眼位の測定結果のずれ量を、眼位状態情報として生成してもよい。
【００１９】
この場合、固視標の呈示と非呈示を切り替えたことに起因する眼位のずれ量が、定量的に把握される。従って、例えば、斜位の有無等の眼位に関する診断が、より適切に行われる。ただし、眼科装置は、眼位のずれ量を生成せずに、眼位変化グラフのみを生成してもよい。
【００２０】
制御部は、固視標の呈示切替時から待機時間が経過した基準タイミング以後の、少なくとも１つの切替後タイミングにおける眼位の測定結果に基づいて、眼位のずれ量を生成してもよい。斜位がある場合の眼位は、固視標の呈示と非呈示が切り替えられてから徐々に変化した後、時間の経過と共に安定していく傾向がある。従って、固視標の呈示と非呈示が切り替えられた直後の眼位の測定結果が用いられると、生成される眼位のずれ量が不適切な値となり易い。これに対し、待機時間が経過した以後の眼位の測定結果が用いられることで、生成される眼位のずれ量の精度が向上する。なお、待機時間の長さは、固視標の呈示と非呈示が切り替えられてから、検査対象眼の眼位の変化が安定するまでに要する時間以上の長さに設定されてもよい。この場合、安定した状態の眼位に基づいて、眼位ずれ量が算出される。眼科装置では、１つまたは複数の待機時間が予め設定されていてもよい。
【００２１】
制御部は、基準タイミングを指定する指示の入力を受け付けると共に、入力された指示に応じて基準タイミングを設定してもよい。この場合、検者は、種々の事情（例えば、自らの経験、被検者眼の状態等）に応じて、基準タイミングを望ましいタイミングに設定できる。
【００２２】
なお、基準タイミングの指定指示を受け付けるための具体的な方法は、適宜選択できる。例えば、制御部は、固視標の呈示切替時から基準タイミングまでの待機時間の長さをユーザ（例えば検者）に指定させることで、基準タイミングの指定指示を受け付けてもよい。また、基準タイミングの指定指示を検査中にリアルタイムで受け付ける場合、制御部は、指定指示が入力されたタイミングを基準タイミングに設定してもよい。
【００２３】
また、制御部は、眼位変化グラフを表示部に表示させた状態で、基準タイミングの指定指示の入力を受け付けてもよい。この場合、検者は、眼位の変化の状態を眼位変化グラフによって把握したうえで、基準タイミングを適切なタイミングに指定することができる。なお、眼位変化グラフの表示と基準タイミングの設定は、検査中にリアルタイムで行われてもよいし、検査後に行われてもよい。眼位変化グラフの表示と基準タイミングの設定を検査後に行う場合、制御部は、眼位変化グラフ上の所望のタイミングをユーザに指定させることで、基準タイミングの指定指示の入力を受け付けてもよい。
【００２４】
また、指定されたタイミングを基準タイミングに設定する場合、基準タイミングの設定を禁止する期間が設けられていてもよい。例えば、固視標の呈示と非呈示が切り替えられてから、検査対象眼の眼位の変化が安定するまでに必要な最低の待機時間（例えば１秒以上）が経過するまでの間が、基準タイミングの設定を禁止する期間とされてもよい。この場合、検者は、眼位の変化の安定に必要な最低の待機時間が経過した以後にのみ、基準タイミングを指定することができる。よって、安定した状態の眼位に基づいて、眼位ずれ量が算出され易い。
【００２５】
制御部は、複数の切替後タイミングにおける眼位の測定結果に基づいて、呈示切替時よりも後における検査対象眼の眼位が安定したタイミングを検出し、検出したタイミングを基準タイミングとして設定してもよい。この場合、適切な基準タイミングが自動的に眼科装置によって設定される。
【００２６】
なお、眼位が安定したタイミングを検出するための具体的な方法は、適宜選択できる。
【００２７】
例えば、制御部は、複数の切替後タイミングにおける眼位の測定結果から、測定結果の揺らぎを検出してもよい。制御部は、検出した揺らぎが閾値以下となったタイミングを、眼位が安定したタイミングとして検出してもよい。測定結果の揺らぎには、例えば、単位時間内における複数の測定結果の標準偏差、単位時間内における複数の測定結果の最大値と最小値の差、変動する測定結果の周波数等の少なくともいずれかを用いてもよい。この場合、検出結果の揺らぎに基づいて、眼位が安定したタイミングが適切に検出される。なお、制御部は、検出した測定結果の揺らぎの情報を、眼位状態情報として出力してもよい。この場合、検者は、検査対象眼の眼位の状態をより適切に判断することができる。
【００２８】
また、制御部は、複数の切替後タイミングにおける眼位の測定結果から、眼位と時間の関係を示す近似曲線のデータを生成してもよい。制御部は、近似曲線の傾きが閾値以下となったタイミングを、眼位が安定したタイミングとして検出してもよい。この場合、眼位の変動を示す近似曲線に基づいて、眼位が安定したタイミングが適切に検出される。なお、前述したように、制御部は、生成した近似曲線のデータを眼位状態情報として出力してもよい。
【００２９】
眼科装置は、他覚式測定部を備えていてもよい。他覚式測定部は、検査対象眼に測定光を出射し、その反射光を受光することで、検査対象眼の光学特性を他覚的に測定する。制御部は、複数の切替後タイミングにおいて測定された検査対象眼の光学特性の測定結果に基づいて、呈示切替後における検査対象眼の眼位が安定したタイミングを検出し、検出したタイミングを基準タイミングとして設定してもよい。眼位が安定すると、検査対象眼の光学特性も安定し易い。従って、検査対象眼の光学特性が安定したタイミングを基準タイミングとして設定することで、適切な基準タイミングが自動的に設定される。
【００３０】
なお、眼位が安定したタイミングを光学特性の測定結果に基づいて検出するための具体的な方法も、適宜選択できる。
【００３１】
例えば、制御部は、複数の切替後タイミングにおける光学特性の測定結果から、測定結果の揺らぎ（例えば、単位時間内における複数の測定結果の標準偏差、単位時間内における複数の測定結果の最大値と最小値の差、変動する測定結果の周波数等の少なくともいずれか）を検出してもよい。制御部は、検出した揺らぎが閾値以下となったタイミングを、眼位が安定したタイミングとして検出してもよい。なお、制御部は、光学特性の測定結果の揺らぎの情報を出力してもよい。
【００３２】
また、制御部は、複数の切替後タイミングにおける光学特性の測定結果から、光学特性と時間の関係を示す近似曲線のデータを生成してもよい。制御部は、近似曲線の傾きが閾値以下となったタイミングを、眼位が安定したタイミングとして検出してもよい。なお、制御部は、光学特性の測定結果の変動を示す近似曲線のデータを出力してもよい。
【００３３】
眼位の安定を検出するために用いられる光学特性には、例えば、検査対象眼の屈折力等が用いられてもよい。屈折力以外の他覚的な測定結果（例えば、検査対象眼の瞳孔の大きさ等）によって、眼位の安定が検出されてもよい。また、眼位の測定結果と光学特性の測定結果の両方に基づいて、眼位の安定が検出されてもよい。
【００３４】
制御部は、眼位および光学特性の少なくともいずれかの測定結果に基づいて、眼位が安定したタイミング（以下、「眼位安定タイミング」という）を検出する場合、固視標の呈示切替時から眼位安定タイミングまでの時間の情報を出力してもよい。この場合、検者は、検査対象眼の眼位の状態を、より適切に把握することができる。
【００３５】
制御部は、基準タイミング以後における複数の切替後タイミングにおいて測定された複数の眼位測定結果から、平均値、最大値と最小値の中間値、または、測定頻度が最も多い最頻値を特定してもよい。制御部は、特定した値と、切替前タイミングにおける眼位測定結果のずれ量を、眼位状態情報として算出してもよい。この場合、眼位の変動の影響がさらに抑制されたうえで、眼位のずれ量が算出される。
【００３６】
なお、固視標の呈示切替時以前の切替前タイミングの測定結果についても、複数の眼位測定結果の平均値、中間値、または最頻値が用いられてもよいことは言うまでもない。また、１つの切替後タイミングにおける眼位測定結果、および、１つの切替前タイミングにおける眼位測定結果の少なくともいずれかに基づいて、眼位のずれ量が算出されてもよい。
【００３７】
制御部は、複数の切替前タイミングにおける複数の眼位測定結果と、複数の切替後タイミングにおける複数の眼位測定結果から、呈示切替時以前において測定された頻度が最も高い第１最頻値と、呈示切替時よりも後において測定された頻度が最も高い第２最頻値を特定してもよい。制御部は、第１最頻値と第２最頻値のずれ量を、眼位状態情報として算出してもよい。この場合、固視標の呈示切替時以前において安定した状態の眼位と、固視標の呈示切替時よりも後において安定した状態の眼位のずれ量が、適切に算出される。よって、生成（算出）される眼位のずれ量の精度が向上する。
【００３８】
制御部は、固視標の呈示と非呈示が切り替えられた呈示切替時を取得し、取得した呈示切替時に基づいて眼位状態情報を生成してもよい。この場合、呈示切替時に基づいた精度の高い眼位状態情報が生成される。
【００３９】
なお、呈示切替時を取得するための具体的な方法は適宜選択できる。例えば、制御部は、呈示切替時を指定するためのユーザからの指示の入力を受け付けることで、呈示切替時を取得してもよい。また、可視光遮断部材の挿脱によって固視標の呈示と非呈示が切り替えられる場合、制御部は、前眼部撮影部によって受光される不可視光の強度が可視光遮断部材の挿脱によって変化した時点を画像処理等によって検出することで、呈示切替時を取得してもよい。眼科装置は、可視光遮断部材が挿脱されたことを検出するセンサを備えていてもよい。また、固視標の呈示と非呈示を切り替える切替手段（例えば、固視標を呈示可能なディスプレイ、または、固視標を含む視標板を駆動するアクチュエータ等）が設けられている場合、制御部は、切替手段によって固視標の呈示と非呈示を切り替えた時点を、呈示切替時として取得してもよい。
【００４０】
前眼部撮影部は、不可視光を受光することで前眼部画像を撮影してもよい。また、可視光遮断部材が眼前に挿脱されることで、固視標の呈示と非呈示が切り替えられてもよい。可視光遮断部材は、前眼部撮影部が受光する不可視光の少なくとも一部を透過し、且つ、固視標の呈示する可視光を遮断する。
【００４１】
この場合、前眼部撮影部は、可視光遮断部材を透過する不可視光を用いることで、固視標の呈示と非呈示を切り替える方の眼の眼位を測定する場合であっても、固視標の呈示切替時の前後を通じて適切に前眼部を撮影することができる。さらに、固視標の呈示を停止させる場合には、可視光遮断部材が眼前に挿入される。従って、眼科装置の内部で固視標の呈示を遮断する場合等とは異なり、呈示停止後に被検者眼が装置の一部を注視してしまう可能性が低い。従って、固視標の呈示停止後は、固視が適切に解除される。
【００４２】
なお、固視標の呈示と非呈示を切り替える方法を変更することも可能である。例えば、眼科装置は、固視標を表示可能なディスプレイを制御し、ディスプレイにおける固視標の表示と消去を切り替えることで、固視標の呈示と非呈示を切り替えてもよい。また、眼科装置は、固視標が設けられた視標板をアクチュエータ（例えばモータ等）によって駆動することで、固視標の呈示と非呈示を切り替えてもよい。眼科装置は、固視標の呈示光路に設けられた偏光素子によって、固視標の呈示と非呈示を切り替えてもよい。また、可視光遮断部材を眼前に挿脱させる代わりに、可視光の一部のみを透過する半透明部材を眼前に挿脱させることで、固視標の呈示と非呈示が切り替えられてもよい。半透明部材が眼前に挿入された場合でも、被検者眼から見た固視標がぼけるので、固視標の呈示と非呈示が適切に切り換えられる。
【００４３】
制御部は、眼位の測定に用いられた前眼部画像のデータを記憶手段に記憶させてもよい。制御部は、過去に撮影された前眼部画像の撮影タイミングを指定する指示の入力を受け付けると共に、指定された撮影タイミングで撮影された前眼部画像を表示部に表示させてもよい。この場合、検者は、所望のタイミングにおける眼位の測定結果と、その眼位の測定に用いられた前眼部画像を容易に比較することができる。従って、検者は、例えば、眼位の測定結果に疑問がある場合等に、眼位の測定に用いられた前眼部画像を確認したうえで適切な判断を行うことができる。
【００４４】
なお、眼科装置は、本開示において例示する複数の技術の一部のみを採用することも可能である。例えば、眼科装置は、固視標の呈示および非呈示に関わらず、眼位と時間の関係を示す眼位変化グラフのデータを作成してもよい。詳細には、眼科装置は、固視標の呈示中における眼位変化グラフを作成してもよいし、固視標の呈示停止時から所定時間経過した後の眼位変化グラフを作成してもよい。この場合でも、検者は、眼位の時間変化を眼位変化グラフによって適切に把握することができる。
【００４５】
＜実施形態＞
以下、本開示における典型的な実施形態の１つについて、図面を参照して説明する。一例として、本実施形態では、被検者眼の眼位に関する状態の他覚的検査に加えて、被検者眼の光学特性（例えば屈折力等）の自覚的測定と他覚的測定も実施することが可能な眼科装置１を例示する。しかし、本開示で例示する技術の少なくとも一部は、例えば、眼位に関する状態の他覚的検査のみを実施する眼科装置にも適用できるし、光学特性の自覚的測定および他覚的測定の一方を実施するための構成を備えない眼科装置にも適用できる。また、眼科装置は、被検者の視機能のうち、眼位に関する機能および光学特性以外の視機能の検査も実施できてもよい。
【００４６】
（概略構成）
図１を参照して、本実施形態の眼科装置１の概略構成について説明する。本実施形態の眼科装置１は、筐体２、呈示窓３、タッチパネル（操作部および表示部）４、顎台５、基台６、および撮影光学系１００等を備える。筐体２は、内部に各種部材を収納する。例えば、筐体２の内部には、後述する測定部７（左眼用測定部７Ｌおよび右眼用測定部７Ｒ）が設けられている。呈示窓３は、被検者に視標を呈示するために用いられる。例えば、左眼用測定部７Ｌおよび右眼用測定部７Ｒから出射される視標光束が、呈示窓３を介して被検者眼に投影される。
【００４７】
タッチパネル４は、画像を表示すると共に、ユーザによって操作される。すなわち、本実施形態では、ユーザ（例えば検者等）が各種指示を入力するために操作する操作部と、画像を表示する表示部（ディスプレイ）が、タッチパネル４によって兼用される。ただし、操作部と表示部が別で設けられてもよいことは言うまでもない。操作部は、入力された操作指示に応じた信号を、後述する制御ユニット７０（図２参照）に出力する。操作部には、例えば、マウス、ジョイスティック、キーボード等の少なくともいずれかが用いられてもよい。表示部は、眼科装置１の本体に搭載されていてもよいし、眼科装置１とは別で設けられていてもよい。例えば、眼科装置１に接続されたパーソナルコンピュータ（以下、「ＰＣ」という）のディスプレイに、各種データ（例えば、後述する眼位変化グラフ、および眼位ずれ量等）が表示されてもよい。複数の表示部が併用されてもよい。
【００４８】
顎台５には被検者の顎を支持する。顎台５に被検者の顎が乗せられることで、被検者眼と眼科装置１の距離が一定に保たれると共に、被検者の顔の動きが抑制される。顎台５の代わりに、額当てまたは顔当て等が用いられてもよい。基台６には、顎台５と筐体２が固定されている。撮影光学系１００は、撮影素子およびレンズ（図示せず）を備えている。撮影光学系１００は、被検者の顔を撮影することができる。
【００４９】
（測定部）
図２を参照して、測定部７の構成について説明する。本実施形態では、左眼用測定部７Ｌの構成と右眼用測定部７Ｒの構成は略同一である。従って、以下では左眼用測定部７Ｌについて説明を行い、右眼用測定部７Ｒの説明は省略する。左眼用測定部７Ｌは、自覚式測定部２５、他覚式測定部１０、第１指標投影光学系４５、第２指標投影光学系４６、および前眼部撮影部５０を備える。
【００５０】
（自覚式測定部）
自覚式測定部２５は、被検者の応答に応じて被検者眼の光学特性を測定するために用いられる。つまり、自覚式測定部２５によって、被検者眼の光学特性が自覚的に測定される。本実施形態では、一例として、被検者眼の光学特性（眼屈折力、コントラスト感度、両眼視機能等）のうち、眼屈折力が自覚式測定部２５によって測定される。本実施形態の自覚式測定部２５は、投光光学系（視標投光系）３０、矯正光学系６０、および補正光学系９０を備える。
【００５１】
投光光学系３０は、視標光束を被検者眼に向けて投影する。本実施形態の投光光学系３０は、ディスプレイ３１、投光レンズ３３、投光レンズ３４、反射ミラー３６、ダイクロイックミラー３５、ダイクロイックミラー２９、および対物レンズ１４を備える。視標光束は、ディスプレイ３１から出射された後、投光レンズ３３、投光レンズ３４、反射ミラー３６、ダイクロイックミラー３５、ダイクロイックミラー２９、および対物レンズ１４の順にそれぞれの光学部材を経由して、被検者眼に投影される。
【００５２】
ディスプレイ３１には、例えば、ランドルト環視標等の検査視標、および、被検者眼を固視させるための固視標（後述する眼位測定時および他覚測定時に用いられる）等が表示される。ディスプレイ３１から出射された視標光束は、被検者眼に向けて投影される。つまり、本実施形態のディスプレイ３１および投光光学系３０は、被検者眼に固視標を呈示する固視標呈示部の一例である。ディスプレイ３１には、例えばＬＣＤ等の各種表示機器を使用できる。なお、被検者眼に固視標を呈示するための構成および方法を変更することも可能である。例えば、本実施形態では、被検者の左眼および右眼に別々に固視標の光束が投影される。しかし、眼科装置１は、１つの固視標を左眼および右眼の両方に呈示してもよい。また、眼科装置１は、視標板に設けられた固視標を光路上に位置させることで、被検者眼に固視標を呈示してもよい。
【００５３】
矯正光学系６０は、乱視矯正光学系６３および駆動機構３９を備える。乱視矯正光学系６３は、投光レンズ３３と投光レンズ３４の間に配置されている。本実施形態では、乱視矯正光学系６３は、被検者眼の円柱度数および円柱軸等を矯正するために用いられる。例えば、乱視矯正光学系６３は、焦点距離が等しい２つの正の円柱レンズ６１ａ，６１ｂを備える。円柱レンズ６１ａ，６１ｂは、回転機構６２ａ，６２ｂの各々によって駆動されることで、光軸Ｌ２を中心として独立して回転される。なお、乱視矯正光学系６３の構成を変更することも可能である。例えば、矯正レンズが投光光学系３０の光路に挿脱されることで、円柱度数等が矯正されてもよい。
【００５４】
駆動機構３９は、モータおよびスライド機構を備え、ディスプレイ３１を光軸Ｌ２の方向に移動させる。例えば、自覚測定時にディスプレイ３１が移動されることで、被検者眼に対する視標の呈示位置（呈示距離）が光学的に変えられる。その結果、球面度数が矯正される。また、他覚測定時にディスプレイ３１が移動されることで、被検者眼に雲霧が掛けられる。なお、球面度数を矯正するための構成を変更することも可能である。例えば、光路中に光学素子が挿脱されることで球面度数が矯正されてもよい。また、光路中に配置されたレンズが光軸方向に移動されることで、球面度数が矯正されてもよい。
【００５５】
なお、本実施形態では、球面度数、円柱度数、および円柱軸を矯正する矯正光学系６０が例示されている。しかし、矯正光学系は、他の光学特性（例えばプリズム値等）を矯正してもよい。プリズム値が矯正されることで、被検者眼が斜位眼であっても視標光束が被検者眼に適切に投影される。
【００５６】
また、本実施形態では、円柱度数および円柱軸を矯正する乱視矯正光学系６３と、球面度数を矯正する駆動機構３９が別で設けられている。しかし、球面度数、円柱度数、および円柱軸が、同一の構成によって矯正されてもよい。例えば、波面を変調させる光学系によって、球面度数、円柱度数、および円柱軸が矯正されてもよい。また、複数の光学素子（例えば、球面レンズ、円柱レンズ、および分散プリズム等の少なくともいずれか）が同一円周上に配置されたレンズディスクと、レンズディスクを回転させるアクチュエータが、矯正光学系として用いられてもよい。この場合、レンズディスクが回転されて、光軸Ｌ２上に位置する光学素子が切り替えられることで、種々の光学特性が矯正される。また、光軸Ｌ２上に配置された光学素子（例えば、円柱レンズ、クロスシリンダレンズ、およびロータリープリズム等の少なくともいずれか）が、アクチュエータによって回転されてもよい。
【００５７】
補正光学系９０は、対物レンズ１４と、後述する偏向ミラー８１（図３等参照）の間に配置されている。補正光学系９０は、例えば、自覚式測定部２５において生じる光学収差を補正するために用いられてもよい。また、補正光学系９０は、光学収差における非点収差を補正するために用いられてもよい。本実施形態の補正光学系９０は、焦点距離が等しい２つの正の円柱レンズ９１ａ，９１ｂを備える。円柱レンズ９１ａ，９１ｂは、回転機構９２ａ，９２ｂの各々によって駆動されることで、光軸Ｌ３を中心として独立して回転される。補正光学系９０は、円柱度数と円柱軸を調整することで、非点収差を補正することができる。なお、補正光学系９０の構成を変更することも可能である。例えば、補正レンズが光路ＬＥに挿脱されることで、光学収差が補正されてもよい。また、矯正光学系６０が補正光学系９０を兼用してもよい。この場合、円柱度数と円柱軸に加えて非点収差量が考慮されることで、矯正光学系６０が駆動される。
【００５８】
（他覚式測定部）
他覚式測定部１０は、被検者眼の光学特性を他覚式に測定するために用いられる。他覚式測定部１０は、被検者眼の光学特性として、例えば眼屈折力、眼軸長、および角膜形状等の少なくともいずれかを測定してもよい。一例として、本実施形態では、被検者眼の眼屈折力を測定するための他覚式測定部１０を例示して説明を行う。
【００５９】
他覚式測定部１０は、投影光学系（投光光学系）１０ａ、受光光学系１０ｂ、および補正光学系９０を備える。一例として、本実施形態の投影光学系１０ａは、被検者眼の瞳孔中心部を介して、被検者眼の眼底にスポット状の測定光を投影する。また、本実施形態の受光光学系１０ｂは、眼底から反射された測定光の反射光を、瞳孔周辺部を介してリング状に取り出し、二次元撮影素子２２によってリング状の眼底反射像を撮影する。
【００６０】
本実施形態の投影光学系１０ａは、測定光源１１、リレーレンズ１２、ホールミラー１３、プリズム１５、駆動部（モータ）２３、ダイクロイックミラー３５、ダイクロイックミラー２９、および対物レンズ１４を備える。プリズム１５は、光束偏向部材である。駆動部２３は、プリズム１５を光軸Ｌ１を中心として回転駆動させる。光源１１は、被検者眼の眼底と共役な関係となる。ホールミラー１３のホール部は、被検者眼の瞳孔と共役な関係となる。プリズム１５は、被検者眼の瞳孔と共役となる位置から外れた位置に配置されており、通過する光束を光軸Ｌ１に対して偏心させる。なお、光束偏向部材の構成を変更することも可能である。例えば、プリズム１５に代えて、光軸Ｌ１に対して斜めに配置される平行平面板が、光束偏向部材として用いられてもよい。
【００６１】
ダイクロイックミラー３５は、自覚式測定部２５の光軸Ｌ２と、他覚式測定部１０の光軸Ｌ１を同軸にする。ビームスプリッタ２９は、自覚式測定部２５における光束と、他覚式測定部１０における光束を反射し、被検者眼に導く。
【００６２】
受光光学系１０ｂは、対物レンズ１４、ダイクロイックミラー２９、ダイクロイックミラー３５、プリズム１５、およびホールミラー１３を、投影光学系１０ａとの間で共用する。また、受光光学系１０ｂは、ホールミラー１３の反射方向の光路上に、リレーレンズ１６、ミラー１７、受光絞り１８、コリメータレンズ１９、レンズレンズ２０、および二次元撮影素子２２を備える。受光絞り１８および二次元撮影素子２２は、被検者眼の眼底と共役な関係となる。リングレンズ２０は、リング状に形成されたレンズ部と、レンズ部以外の領域に設けられた遮光部を備える。リングレンズ２０は、被検者眼の瞳孔と共役な関係となる。二次元撮影素子２２からの出力は、制御ユニット７０に入力される。
【００６３】
投影光学系１０ａから出射されて被検者眼の眼底で反射された測定光の反射光は、ダイクロイックミラー２９によって反射され、さらにダイクロイックミラー３５によって反射されて、受光光学系１０ｂへ導かれる。また、ダイクロイックミラー２９は、後述する前眼部撮影光およびアライメント光を透過し、前眼部撮影部５０へ導く。
【００６４】
本実施形態では、投影光学系１０ａの測定光源１１と、受光光学系１０ｂの受光絞り１８、コリメータレンズ１９、リングレンズ２０、および二次元撮影素子２２は、光軸方向に一体的に移動することができる。一例として、本実施形態では、ディスプレイ３１と、投影光学系１０ａの測定光源１１と、受光光学系１０ｂの受光絞り１８、コリメータレンズ１９、リングレンズ２０、および二次元撮影素子２２を含む駆動ユニット９５が、駆動機構３９によって、光軸Ｌ１の方向に一体的に移動される。ただし、上記の複数の構成の少なくとも一部が、駆動機構３９とは別の構成によって移動されてもよい。駆動ユニット９５は、外側のリング光束が各経線方向において二次元撮影素子２２上に入射するように、光軸方向に移動される。すなわち、被検者眼の球面屈折誤差（球面屈折力）に応じて、他覚式測定部１０の一部が光軸Ｌ１方向に移動されることで、球面屈折誤差が補正されて、測定光源１１、受光絞り１８、および二次元撮影素子２２が被検者眼の眼底と共役な関係とされる。駆動ユニット９５の移動位置は、ポテンショメータ（図示せず）によって検出される。ホールミラー１３およびリングレンズ２０は、駆動ユニット９５の移動量に関わらず、被検者眼の瞳と一定の倍率で共役となるように配置されている。
【００６５】
本実施形態では、測定光源１１から出射された測定光は、リレーレンズ１２、ホールミラー１３、プリズム１５、ダイクロイックミラー３５、ダイクロイックミラー２９、および対物レンズ１４を経て、被検者眼の眼底上にスポット状の点光源像を形成する。この間、ホールミラー１３のホール部の瞳投影像（瞳上での投影光束）は、光軸Ｌ１を中心として回転するプリズム１５によって、高速で偏心回転される。眼底に投影された点光源像は、反射・散乱されて被検者眼から出射される。被検者眼からの出射光は、対物レンズ１４によって集光され、ダイクロイックミラー２９、ダイクロイックミラー３５、プリズム１５、ホールミラー１３、リレーレンズ１６、およびミラー１７を介して、受光絞り１８の位置に再び集光される。次いで、コリメータレンズ１９とリングレンズ２０によって、二次元撮影素子２２にリング状の像が結像される。
【００６６】
プリズム１５は、投影光学系１０ａと受光光学系１０ｂの共通光路に配置されている。従って、投影光学系１０ａから出射される投影光（測定光）と、眼底からの反射光は、共にプリズム１５を通過する。その結果、眼底からの反射光は、あたかも瞳孔上における投影光と反射光の偏心が無かったかのように逆走査される。また、本実施形態では、他覚式測定部１０と自覚式測定部２５の間で補正光学系９０が共用される。なお、他覚式測定部１０で用いられる補正光学系と、自覚式測定部２５で用いられる補正光学系が別で設けられてもよいことは言うまでもない。
【００６７】
なお、本実施形態における他覚式測定部１０の構成を変更することも可能である。例えば、他覚式測定部は、瞳孔周辺部から眼底にリング状の測定指標を投影し、瞳孔中心部から眼底反射光を取り出し、二次元撮影素子２２にリング状の眼底反射像を受光させる構成を備えていてもよい。また、他覚式測定部はシャックハルトマンセンサを備えていてもよいし、スリットを投影する位相差方式の構成を備えていてもよい。
【００６８】
（第１指標投影光学系・第２指標投影光学系）
第１指標投影光学系４５および第２指標投影光学系４６は、一例として、補正光学系９０と偏向ミラー８１（図３等参照）の間に配置される。ただし、第１指標投影光学系４５および第２指標投影光学系４６を変更することも可能である。第１指標投影光学系４５は、光軸Ｌ３を中心としてリング状に配置された赤外光源を備える。第１指標投影光学系４５は、被検者眼の角膜にアライメント指標を投影するための近赤外光を出射する。第２指標投影光学系４６は、第１指標投影光学系４５の赤外光源とは異なる位置に配置されたリング状の赤外光源を備える。（図２では、便宜上、第１指標投影光学系４５と第２指標投影光学系４６におけるリング状の赤外光源の一部（断面部分）のみが図示されている）本実施形態では、第１指標投影光学系４５は、被検者眼の角膜に無限遠のアライメント指標を投影する。また、第２指標投影光学系４６は、被検者眼の角膜に有限遠のアライメント指標を投影する。なお、第２指標投影光学系４６から出射されるアライメント光は、前眼部撮影部５０によって被検者眼の前眼部を撮影するための前眼部撮影光としても用いられる。また、第１指標投影光学系４５および第２指標投影光学系４６の光源は、リング状の光源に限定されず、複数の点状の光源、またはライン状の光源等であってもよい。
【００６９】
（前眼部撮影部）
前眼部撮影部５０は、対物レンズ１４およびダイクロイックミラー２９を、自覚式測定部２５および他覚式測定部１０との間で共用する。また、前眼部撮影部５０は、撮影レンズ５１および二次元撮影素子５２を備える。二次元撮影素子５２は、被検者眼の前眼部と略共役な関係となる位置に配置された撮影面を有する。二次元撮影素子５２からの出力は、制御ユニット７０に入力される。二次元撮影素子５２は、不可視光（本実施形態では近赤外光）を受光することで、被検者眼の前眼部画像を撮影する。また、前眼部撮影部５０は、第１指標投影光学系４５および第２指標投影光学系４６によって被検者眼の角膜に形成されるアライメント指標像も撮影する。アライメント指標像の位置は、制御ユニット７０によって検出される。
【００７０】
なお、前眼部撮影部５０の構成を変更することも可能である。例えば、本実施形態では、左眼用測定部７Ｌの前眼部撮影部５０で左眼の前眼部が撮影され、右眼用測定部７Ｒの前眼部撮影部５０で右眼の前眼部が撮影される。つまり、被検者の左眼と右眼は別々の前眼部撮影部５０で撮影される。しかし、被検者の左眼と右眼が１つの前眼部撮影部によって撮影されてもよい。例えば、前述した撮影光学系１００（図１参照）によって、被検者の左眼と右眼が共に撮影されてもよい。
【００７１】
（制御ユニット）
制御ユニット７０は、ＣＰＵ（プロセッサ）７１、不揮発性メモリ７２、ＲＡＭ、ＲＯＭ等を備える。ＣＰＵ７１は、眼科装置１の制御を司る。不揮発性メモリ７２は、電源の供給が遮断されても記憶内容を保持できる非一過性の記憶媒体である。不揮発性メモリ７２には、例えば、ハードディスクドライブ、フラッシュＲＯＭ、着脱可能なＵＳＢメモリ等の少なくともいずれかが用いられてもよい。不揮発性メモリ７２には、ＣＰＵ７１によって生成された各種データ（例えば、後述する眼位変化グラフのデータ、および眼位ずれ量のデータ等）が記憶される。また、不揮発性メモリ７２には、眼科装置１の制御を司るための制御プログラムが記憶されている。ＲＡＭは、各種情報を一時的に記憶する。ＲＯＭには、各種プログラム、初期値等が記憶されている。なお、本実施形態では、眼科装置１の内部に設けられた１つのＣＰＵ７１によって、眼科装置１の動作が制御される。しかし、眼科装置１の制御を司る制御部は、眼科装置１とは異なるデバイス（例えばＰＣ等）に設けられていてもよい。また、複数の制御部によって眼科装置１の動作が制御されてもよい。
【００７２】
（眼科装置の内部構成）
図３から図５を参照して、本実施形態の眼科装置１の内部構成について説明する。図３は、本実施形態の眼科装置１の内部を正面方向（図１のＡ方向）から見た概略構成図である。図４は、本実施形態の眼科装置１の内部を右側面方向（図１のＢ方向）から見た概略構成図である。図５は、本実施形態の眼科装置１の内部を上方（図１のＣ方向）から見た概略構成図である。なお、図３では、便宜上、ハーフミラー８４（図４および図５参照）の反射を示す光軸の図示が省略されている。図４および図５では、便宜上、左眼用測定手段７Ｌの光軸のみが図示されている。
【００７３】
本実施形態の眼科装置１は、測定部７（左眼用測定部７Ｌ，右眼用測定部７Ｒ）、移動部９（左移動部９Ｌ，右移動部９Ｒ）、偏向ミラー８１（左偏向ミラー８１Ｌ，右偏向ミラー８１Ｒ）、駆動部８２（左駆動部８２Ｌ，右駆動部８２Ｒ）、駆動部８３（左駆動部８３Ｌ，右駆動部８３Ｒ）、ハーフミラー８４、および凹面ミラー８５を備える。ただし、眼科装置１の構成を変更することも可能である。例えば、上記の構成の一部が省略されていてもよい。
【００７４】
左移動部９Ｌは、左眼用測定部７Ｌを左右方向（Ｘ方向）に移動させることができる。右移動部９Ｒは、右眼用測定部７ＲをＸ方向に移動させることができる。左眼用測定部７Ｌおよび右眼用測定部７Ｒが移動されることで、偏向ミラー８１Ｌ，８１Ｒとの間の距離が変更され、前後方向（Ｚ方向）における視標光束の呈示位置が変化する。従って、左眼用測定部７Ｌおよび右眼用測定部７Ｒを移動させることで、矯正光学系６０（図２参照）によって矯正された視標光束の像が被検者眼の眼底に形成されるように調整することができる。
【００７５】
左偏向ミラー８１Ｌは、右眼用測定部７Ｌの矯正光学系６０と、被検者の左眼の間の光路上に配置される。右偏向ミラー８１Ｒは、右眼用測定部７Ｒの矯正光学系と、被検者の右眼の間の光路上に配置される。左偏向ミラー８１Ｌおよび左偏向ミラー８１Ｒは、被検者眼の瞳共役位置に配置されることが好ましい。左偏向ミラー８１Ｌは、左眼用測定部７Ｌから出射される光束を反射して左眼ＥＬに導光すると共に、左眼ＥＬで反射された反射光を反射して左眼用測定部７Ｌに導光する。同様に、右偏向ミラー８１Ｒは、右眼用測定部７Ｒから出射される光束を反射して右眼ＥＲに導光すると共に、右眼ＥＲで反射された反射光を反射して右眼用測定部７Ｒに導光する。なお、偏向ミラー８１の代わりに、他の偏向部材（例えば、プリズムおよびレンズ等の少なくともいずれか）が用いられてもよい。
【００７６】
左駆動部８２Ｌは左偏向ミラー８１Ｌを駆動し、右駆動部８２Ｒは右偏向ミラー８１Ｒを駆動する。駆動部８２は、偏向ミラー８１を回転させる。詳細には、本実施形態の駆動部８２は、水平方向（Ｘ方向）に延びる回転軸を中心として偏向ミラー８１を回転させることができ、且つ、鉛直方向（Ｙ方向）に延びる回転軸を中心として偏向ミラー８１を回転させることができる。なお、偏向ミラー８１の回転軸は１つであってもよい。また、左偏向ミラー８１Ｌおよび右偏向ミラー８１Ｒの各々は、回転軸の方向が異なる複数のミラーを備えていてもよい。偏向ミラー８１が回転されることで、像を被検者眼の眼前に形成させるためのみかけの光束を偏向させることができる。その結果、像の形成位置が光学的に補正される。
【００７７】
左駆動部８３Ｌは左偏向ミラー８１Ｌを駆動し、右駆動部８３Ｒは右偏向ミラー８１Ｒを駆動する。駆動部８３は、偏向ミラー８１をＸ方向に移動させることができる。左偏向ミラー８１Ｌおよび右偏向ミラー８１Ｒを移動させることで、左偏向ミラー８１Ｌと右偏向ミラー８１Ｒの間の距離が変化する。例えば、ＣＰＵ７１は、被検者の瞳孔間距離に応じて左偏向ミラー８１Ｌと右偏向ミラー８１Ｒの間の距離を変化させることで、左眼用の光路と右眼用の光路の間のＸ方向における距離を調整することができる。
【００７８】
凹面ミラー８５は、矯正光学系６０を通過した視標光束を被検者眼に導光し、視標光束の像を被検者眼の眼前に形成する。また、他覚式測定部１０から出射されて被検者眼で反射された反射光は、凹面ミラー８５によって反射されて、他覚式測定部１０の受光光学系１０ｂに導光される。本実施形態では、凹面ミラー８５は左眼用測定部７Ｌと右眼用測定部７Ｒによって共用される。しかし、左眼用の光路に配置される凹面ミラーと、右眼用の光路に配置される凹面ミラーが別で設けられていてもよい。なお、凹面ミラー８５の代わりに、レンズ、平面ミラー等の少なくともいずれかの光学部材が用いられてもよい。また、他覚式測定部１０による測定光の反射光が、凹面ミラー８５を介さずに受光光学系１０Ｂに導光される構成が用いられてもよい。
【００７９】
以下、自覚式測定部２５による自覚測定の光路について説明する。測定部７から出射された視標光束は、偏向ミラー８１で反射されてハーフミラー８４へ向かい、ハーフミラー８４で反射されて凹面ミラー８５へ向かう。凹面ミラー８５で反射された視標光束は、ハーフミラー８４を透過して被検者眼に到達する。凹面ミラー８５は、自覚測定に用いられる視標光束を略平行光束として反射させる。従って、被検者眼では、被検者眼からディスプレイ３１までの実際の距離よりも遠方に視標像が存在するように見える。視標像は、被検者眼の眼鏡装用位置（例えば、角膜頂点から前方に約１２ｍｍの位置）を基準として、被検者眼の眼底上に形成される。被検者は、自然視の状態で視標を見ながら検者に対する応答を行う。被検者が視標を適正に見ることができるまで、矯正光学系６０による矯正が行われることで、被検者眼の光学特性が自覚的に測定される。
【００８０】
次いで、他覚式測定部１０による他覚測定の光路について説明する。測定部７から出射された測定光は、偏向ミラー８１で反射されてハーフミラー８４へ向かい、ハーフミラー８４で反射されて凹面ミラー８５へ向かう。凹面ミラー８５で反射された測定光は、ハーフミラー８４を透過して被検者眼に到達し、被検者眼の眼底上に像を形成する。このとき、ホールミラー１３のホール部の瞳投影像（瞳上での投影光束）は、プリズム１５によって偏心回転される。被検者眼の眼底上に形成された像の光は、反射・散乱されて被検者眼から出射され、測定光が通過してきた光路をホールミラー１３まで遡る。反射光は、ホールミラー１３で反射されて、受光絞り１８の開口で再び集光され、コリメータレンズ１９によって略平行光束（正視眼の場合）とされる。その後、反射光は、リングレンズ２０によってリング状光束として取り出されて、二次元撮影素子２２に受光される。二次元撮影素子２２によって撮影されたリング像が解析されることで、被検眼の光学特性が他覚的に測定される。
【００８１】
（眼位の測定）
図６を参照して、眼位（被検者眼が向く方向）の測定方法の一例について説明する。本実施形態の眼科装置１は、被検者眼の眼位を測定すると共に、眼位の状態を示す眼位状態情報を生成することができる。なお、本実施形態の眼科装置１は、被検者眼の眼位の測定と、被検者眼の光学特定の他覚的測定を並行して実行することも可能である。
【００８２】
眼科装置１は、前眼部撮影部５０（図２参照）によって撮影された前眼部画像１１０（図６参照）に基づいて、被検者眼の眼位を測定する。図６に示す右眼の前眼部画像１１０には、リング指標像Ｒ１、リング指標像Ｒ２、および瞳孔Ｐが表れている。リング指標像Ｒ１は、第１指標投影光学系４５の赤外光源によって表れる。リング指標像Ｒ２は、第２指標投影光学系４６の赤外光源によって表れる。図６に示す例では、リング指標像Ｒ２は、リング指標像Ｒ１よりも内側に位置している。
【００８３】
一例として、本実施形態の眼科装置１のＣＰＵ７１は、撮影された前眼部画像１１０に対して画像処理を行うことで、瞳孔Ｐおよび視標像（例えば、リング指標像Ｒ２）の位置を検出する。瞳孔Ｐの位置の検出は、例えば、輝度値の立ち上がり、立ち下がりを検出し、瞳孔Ｐのエッジ位置を検出することで実行されてもよい。視標像の位置の検出についても同様である。ＣＰＵ７１は、瞳孔Ｐの位置に基づいて、瞳孔中心位置ＰＣを検出する。瞳孔中心位置ＰＣは、例えば、略円形の瞳孔Ｐの中心の位置を求めることで検出されてもよい。また、ＣＰＵ７１は、視標像の位置に基づいて、角膜頂点位置Ｃを検出する。角膜頂点位置Ｃは、例えば、リング指標像Ｒ２の中心の位置を求めることで検出されてもよい。もちろん、角膜頂点位置Ｃは、リング指標像Ｒ１の位置に基づいて検出されてもよいし、リング指標像Ｒ１とリング指標像Ｒ２の両方の位置に基づいて検出されてもよい。また、リング状の光源の代わりに複数の点状の光源が用いられている場合等であっても、複数の指標像の中心の位置が求められることで、角膜頂点位置Ｃが検出される。
【００８４】
本実施形態では、ＣＰＵ７１は、瞳孔中心位置ＰＣと角膜頂点位置Ｃのずれ量ΔＸおよびずれている方向を、被検者眼の眼位として測定する。前眼部撮影部５０の撮影光軸に対する被検者眼の視線方向のずれが大きくなる程、ずれ量ΔＸは大きくなり易い。従って、ずれ量ΔＸを算出することで、眼位が適切に測定される。なお、測定された眼位は絶対的な値ではない場合もあり得る。しかし、この場合でも、眼位が連続して測定されることで、眼位の変化は適切に把握される。
【００８５】
なお、眼位の測定方法を変更することも可能である。例えば、ずれ量ΔＸおよびずれている方向の一方のみが、眼位として測定されてもよい。また、瞳孔Ｐの位置と角膜頂点位置Ｃの一方のみに基づいて眼位が測定されてもよい。瞳孔中心位置ＰＣの代わりに、瞳孔Ｐのエッジ位置に基づいて眼位が測定されてもよい。他の情報（例えば、左眼と右眼の瞳孔間距離の情報等）に基づいて眼位が測定されてもよい。また、ずれている方向を考慮した眼位を測定する場合、考慮する方向は、二次元の方向（上下左右方向）であってもよいし、一次元の方向（例えば、上下方向、左右方向、または斜め方向）であってもよい。
【００８６】
（斜位の測定）
図７および図８を参照して、被検者の斜位の検査方法の一例について説明する。本実施形態の眼科装置１は、被検者の斜位検査を行うことができる。なお、図７および図８は、斜位検査時の固視標３１Ｋの光束の光軸等を模式的に示す図であり、凹面鏡８５による固視標３１Ｋの光束の反射等は図に表していない。また、図７および図８は、被検者の左眼ＥＬおよび右眼ＥＲのうち、左眼ＥＬを検査対象眼とした場合の模式図である。
【００８７】
まず、図７に示すように、眼科装置１は、被検者の左眼ＥＬおよび右眼ＥＲの両方に固視標３１Ｋを呈示する。図７に示す状態では、左眼ＥＬの視線および右眼ＥＲの視線は共に固視標３１Ｋの光束の光軸に一致しており、眼位のずれは無い。
【００８８】
次いで、図８に示すように、検査対象眼である左眼ＥＬへの固視標３１Ｋの呈示が停止される（つまり、左眼ＥＬへの固視標３１Ｋの呈示が非呈示に切り替えられる）。左眼ＥＬに外斜位がある場合、固視標３１Ｋの呈示切替時から十分な時間が経過すると、左眼ＥＬの視線は外側を向く。眼科装置１によると、固視標３１Ｋの呈示切替時以前（図７の状態）に測定された検査対象眼（左眼ＥＬ）の眼位と、呈示切替時よりも後（図８の状態）に測定された検査対象眼の眼位に基づいて、検査対象眼の斜位検査が他覚的に実行される。
【００８９】
なお、眼科装置１は、固視標３１Ｋが近方に見えるように固視標３１Ｋを左眼および右眼に呈示した後、検査対象眼への固視標３１Ｋの呈示を停止させることで、近方の斜位検査を行うことも可能である。
【００９０】
また、図７および図８では、検査対象眼に外斜位がある場合について例示した。しかし、内斜位、上斜位、下斜位等の検査も眼科装置１によって他覚的に実行できることは言うまでもない。
【００９１】
また、眼科装置１は、図７および図８に示した眼位検査以外の眼位検査も実行することができる。例えば、眼科装置１は、検査対象眼（左眼ＥＬおよび右眼ＥＲの一方）に対する固視標３１Ｋの呈示状態を、非呈示から呈示に切り替えてもよい。眼科装置１は、固視標３１Ｋの呈示切替時以前（つまり、固視標３１Ｋが呈示されていない間）に測定された検査対象眼の眼位と、呈示切替時よりも後（つまり、固視標３１Ｋの呈示が開始された後）に測定された検査対象眼の眼位に基づいて、眼位状態情報を生成してもよい。また、眼科装置１は、左眼および右眼のうち、固視標３１Ｋの呈示と非呈示を切り替える眼とは反対側の眼を検査対象眼として眼位状態情報を生成してもよい。なお、以下では、図７および図８に示した眼位検査が行われる際の眼科装置１の動作を例示して説明を行う。
【００９２】
（固視標の呈示切替方法）
被検者眼に対する固視標３１Ｋの呈示と非呈示を切り替える方法の一例について説明する。例えば、図８に示す例では、可視光遮断部材（例えばＩＲフィルタ等）１１１が被検者眼の眼前（本実施形態では、筐体２の呈示窓３（図１参照）と被検者眼の間）に挿脱されることで、被検者眼への固視標３１Ｋの呈示と非呈示が切り替えられる。可視光遮断部材１１１は、前眼部撮影部５０が前眼部を撮影するための前眼部撮影光（本実施形態では、不可視光である近赤外光）を透過し、且つ、固視標３１Ｋを呈示する可視光を遮断する。この場合、前眼部撮影部５０は、固視標３１Ｋの呈示切替時の前後を通じて適切に被検者眼の前眼部を撮影することができる。また、固視標３１Ｋの呈示を停止させる場合には、可視光遮断部材１１１が被検者眼の眼前に挿入される。従って、呈示停止後に被検者眼が眼科装置１の一部を注視してしまう可能性が低い。よって、固視標３１Ｋの呈示停止後は、被検者眼の固視が適切に解除される。
【００９３】
可視光遮断部材１１１は、検者等によって手動で被検者眼の眼前に挿脱されてもよい。また、眼科装置１は、可視光遮断部材１１１を被検者眼と筐体２の間の固視標３１Ｋの呈示光路上で挿脱させる挿脱駆動部を備えていてもよい。挿脱駆動部は、例えば、筐体２または顎台５等に設けられてもよい。ＣＰＵ７１は、挿脱駆動部のアクチュエータ（例えば、モータまたはソレノイド等）の駆動を制御することで、被検者眼に対する固視標３１Ｋの呈示と非呈示を切り替えてもよい。また、可視光遮断部材１１１の代わりに、可視光の一部のみを透過する半透明部材が用いられてもよい。
【００９４】
なお、固視標３１Ｋの呈示と非呈示を切り替える方法を変更することも可能である。例えば、ＣＰＵ７１は、ディスプレイ３１における固視標３１Ｋの表示と消去を切り替えることで、固視標３１Ｋの呈示と非呈示を切り替えてもよい。また、ＣＰＵ７１は、固視標３１Ｋが設けられた視標板をアクチュエータによって駆動することで、固視標の呈示と非呈示を切り替えてもよい。また、ＣＰＵ７１は、固視標３１Ｋの呈示光束を眼科装置の内部で遮断することで、固視標３１Ｋの呈示を停止させてもよい。固視標３１Ｋの呈示光路に設けられた偏光部材によって、呈示と非呈示が切り替えられてもよい。
【００９５】
（固視標の呈示切替時の取得）
本実施形態では、ＣＰＵ７１は、被検者眼に対する固視標の呈示と非呈示が切り替えられた呈示切替時を取得することができる。例えば、ＣＰＵ７１は、呈示切替時を指定するためのユーザからの指示の入力を受け付けることで、呈示切替時を取得してもよい。呈示切替時の指定指示は、操作部（例えばタッチパネル４）が操作されることで入力されてもよいし、音声によって入力されてもよい。例えば、ユーザは、可視光遮断部材１１１を眼前に手動で挿脱して固視標の呈示と非呈示を切り替える場合、可視光遮断部材１１１を眼前に挿脱した時点で指定指示を入力してもよい。この場合、ＣＰＵ７１は、指示が入力された時点を呈示切替時として取得してもよい。また、ユーザは、呈示切替時よりも後に指定指示を入力してもよい。
【００９６】
また、ＣＰＵ７１は、前眼部撮影部５０によって受光される前眼部撮影光の強度が可視光遮断部材１１１の挿脱によって変化した時点を、前眼部画像１３０に対する画像処理等によって検出することで、呈示切替時を取得してもよい。ＣＰＵ７１は、撮影光学系１００によって撮影された画像に基づいて、可視光遮断部材１１１が眼前に挿脱された時点（つまり、呈示切替時）を検出してもよい。また、眼科装置１は、可視光遮断部材１１１が固視標の呈示光路上に挿脱されたことを検出するセンサを備えていてもよい。この場合、ＣＰＵ７１は、センサによる検出結果に基づいて呈示切替時を取得してもよい。
【００９７】
また、ＣＰＵ７１は、アクチュエータ（例えば、挿脱駆動部のアクチュエータ、または、視標板を駆動するアクチュエータ等）の駆動を制御して固視標の呈示と非呈示を切り替える場合、呈示と非呈示を切り替えるためにアクチュエータを駆動させた時点を、呈示切替時として取得してもよい。また、ＣＰＵ７１は、ディスプレイ３１における固視標の表示と消去を制御することで固視標の呈示と非呈示を切り替える場合、固視標の表示と消去を切り替えた時点を、呈示切替時として取得してもよい。
【００９８】
（眼位変化グラフのデータ生成）
図９を参照して、ＣＰＵ７１が生成することが可能な眼位変化グラフのデータについて説明する。本実施形態では、ＣＰＵ７１は、前眼部画像１１０に基づいて測定された複数のタイミングの眼位測定結果に基づいて、眼位変化グラフのデータを生成することができる。眼位変化グラフのデータは、検査対象眼の眼位の状態を示す眼位状態情報の１つである。ＣＰＵ７１は、一定時間毎（例えば、前眼部画像１１０の動画の１フレーム毎）のタイミングで断続的に測定された複数の眼位測定結果に基づいて、図９に例示する眼位変化グラフのデータを生成する。なお、眼位を測定する制御部と、測定結果に基づいて眼位変化グラフのデータを生成する制御部は、異なっていてもよい。
【００９９】
ＣＰＵ７１は、眼位変化グラフを表示部（例えばタッチパネル４等）に表示させてもよい。また、ＣＰＵ７１は、生成した眼位変化グラフのデータを外部機器に出力してもよいし、データを記憶手段（例えば不揮発性メモリ等）に出力して保存してもよい。ＣＰＵ７１は、眼位の検査中にリアルタイムで眼位変化グラフを表示部に表示させてもよい。また、ＣＰＵ７１は、検査中に連続して撮影された複数の前眼部画像１１０に基づいて、検査後に眼位変化グラフのデータを生成してもよい。
【０１００】
図９に例示する眼位変化グラフのデータには、複数の眼位測定結果が測定タイミング毎にプロットされた複数の点１２０のデータが含まれる。また、図９に例示する眼位変化グラフのデータには、プロットされた複数の点１２０に基づいて生成された近似曲線１２１のデータも含まれる。しかし、ＣＰＵ７１は、複数の点１２０のデータ、および近似曲線１２１のデータの一方のみを生成してもよい。また、他の形式のグラフ（例えば棒グラフ等）のデータが生成されてもよい。
【０１０１】
本実施形態では、ＣＰＵ７１は、固視標の呈示切替時以前のタイミングにおける眼位測定結果と、呈示切替時よりも後のタイミングにおける眼位測定結果に基づいて、眼位変化グラフのデータを生成する。換言すると、本実施形態のＣＰＵ７１は、少なくとも固視標の呈示切替時以後における眼位変化グラフのデータを生成する。従って、固視標の呈示と非呈示の切替に起因する眼位の時間変化が、眼位変化グラフによって適切に把握される。また、斜位検査の検査対象眼の眼位変化グラフのデータが生成される場合には、検者は、検査対象眼の斜位の有無等の診断を、眼位変化グラフによってより適切に行うことができる。
【０１０２】
なお、ＣＰＵ７１は、前眼部撮影部５０によって撮影された前眼部画像１１０を処理することで、検査対象眼がまばたきを行ったタイミングを検出してもよい。ＣＰＵ７１は、検査対象眼がまばたきを行ったタイミングの情報を、眼位変化グラフのデータに含めてもよい。ＣＰＵ７１は、検査対象眼がまばたきを行ったタイミングを、眼位変化グラフと共に表示部に表示させてもよい。まばたきが行われた直後の眼位は不安定となり易い。従って、検者は、まばたきが行われたタイミングを把握したうえで眼位変化グラフを見ることで、眼位に関する状態をより適切に把握することができる。
【０１０３】
（眼位測定タイミングの前眼部画像の表示）
ＣＰＵ７１は、眼位の測定に用いられた前眼部画像１１０のデータを記憶手段に記憶させることができる。ＣＰＵ７１は、過去に撮影された前眼部画像１１０の撮影タイミングを指定する指示の入力を受け付ける。ＣＰＵ７１は、指定された撮影タイミングで撮影された前眼部画像１１０を、表示部に表示させることができる。よって、ユーザは、所望のタイミングにおける眼位測定結果と、その測定に用いられた前眼部画像１１０を容易に比較することができる。撮影タイミングの指定指示の入力は、操作部の操作によって行われてもよいし、音声等によって行われてもよい。眼位変化グラフが表示部に表示されている場合、ユーザは、眼位変化グラフ上の所望のタイミングを指定することで、撮影タイミングの指定指示を入力してもよい。この場合、眼位測定結果と前眼部画像１１０をさらに容易に比較することができる。
【０１０４】
（眼位ずれ量の算出）
ＣＰＵ７１は、固視標の呈示切替時以前のタイミング（以下、「切替前タイミング」という）における眼位測定結果と、呈示切替時よりも後のタイミング（以下、「切替後タイミング」という）における眼位測定結果のずれ量を、眼位状態情報として生成（算出）することができる。従って、固視標の呈示および非呈示の切替に起因する眼位ずれ量が、適切に把握される。図９に、算出される眼位ずれ量の一例を示す。なお、眼位ずれ量は、眼位検査中に算出されてもよいし、眼位検査後に算出されてもよい。
【０１０５】
（基準タイミング）
図９に示すように、固視標の呈示切替時から待機時間が経過したタイミングを、基準タイミングとする。本実施形態のＣＰＵ７１は、切替後タイミングのうち、基準タイミング以後の切替後タイミングにおける眼位測定結果に基づいて、眼位ずれ量を算出する。図９で例示する眼位変化グラフに示すように、斜位がある場合の眼位は、固視標の呈示切替時から徐々に変化した後、時間の経過と共に安定していく傾向がある。よって、基準タイミング以後の眼位測定結果が用いられることで、算出される眼位ずれ量の精度が向上する。
【０１０６】
固視標の呈示切替時から基準タイミングまでの待機時間の長さは、予め設定されていてもよい。この場合、待機時間の長さは、呈示切替時から検査対象眼の眼位が安定するまでに要する時間以上の長さ（例えば「５秒」等）に設定される。その結果、安定した状態の眼位に基づいて眼位ずれ量が算出される。
【０１０７】
（ユーザによる基準タイミングの指定）
ＣＰＵ７１は、ユーザによって入力された指示に応じて基準タイミングを設定することができる。従って、ユーザは、種々の事情（例えば、経験、検査対象眼の状態等）に応じて、基準タイミングを望ましいタイミングに設定できる。なお、ＣＰＵ７１は、固視標の呈示切替時から基準タイミングまでの待機時間の長さをユーザに指定させることで、基準タイミングをユーザに指定させてもよい。また、眼位検査中には、ＣＰＵ７１は、指示が入力されたタイミングを基準タイミングに設定してもよい。
【０１０８】
また、ＣＰＵ７１は、眼位変化グラフ（図９参照）を表示部に表示させた状態で、基準タイミングをユーザに指定させてもよい。この場合、ユーザは、眼位の変化の状態を眼位変化グラフによって把握したうえで、基準タイミングを適切なタイミングに指定することができる。ＣＰＵ７１は、眼位変化グラフ上の所望のタイミングをユーザに指定させることで、基準タイミングを指定させてもよい。
【０１０９】
なお、ユーザによって指定されたタイミングを基準タイミングに設定する場合、基準タイミングの設定を禁止する期間が設けられていてもよい。例えば、固視標の呈示切替時から、検査対象眼の眼位が安定するまでに必要な最低の待機時間が経過までの間（例えば、呈示切替時から１秒間）が、基準タイミングの設定を禁止する期間とされてもよい。この場合、不安定な状態の眼位に基づいて眼位ずれ量が算出される可能性が低下する。
【０１１０】
（基準タイミングの自動設定）
ＣＰＵ７１は、基準タイミングを自動的に設定することも可能である。以下、基準タイミングを自動的に設定するための方法を例示する。
【０１１１】
まず、複数の眼位測定結果に基づいて基準タイミングを設定する方法について説明する。ＣＰＵ７１は、固視標の呈示切替時よりも後の複数のタイミングにおける眼位測定結果に基づいて、呈示切替時よりも後の眼位が安定したタイミング（以下、「眼位安定タイミング」という）を検出することができる。ＣＰＵ７１は、眼位安定タイミングを基準タイミングとして設定することができる。
【０１１２】
複数の眼位測定結果から眼位安定タイミングを検出するための具体的な方法も、適宜選択できる。例えば、ＣＰＵ７１は、複数の切替後タイミングにおける眼位測定結果から、測定結果の揺らぎを検出することができる。ＣＰＵ７１は、検出した揺らぎが閾値以下となったタイミングを、眼位安定タイミングとして検出することができる。測定結果の揺らぎには、例えば、単位時間内における複数の測定結果の標準偏差、単位時間内における複数の測定結果の最大値と最小値の差、変動する測定結果の周波数等の少なくともいずれかを採用することができる。なお、ＣＰＵ７１は、眼位測定結果の揺らぎの情報を、眼位状態情報として出力してもよい。また、ＣＰＵ７１は、複数の切替後タイミングにおける眼位測定結果から、眼位と時間の関係を示す近似曲線１２１（図９参照）のデータを生成することができる。ＣＰＵ７１は、近似曲線１２１の傾きが閾値以下となったタイミングを、眼位安定タイミングとして検出することができる。
【０１１３】
次に、図１０を参照して、検査対象眼の光学特性の他覚的測定結果に基づいて基準タイミングを設定する方法について説明する。図１０では、同一の時間帯における検査対象眼の眼位変化グラフと光学特性変化グラフが比較されている。光学特性変化グラフとは、他覚式測定部１０によって複数のタイミングで他覚的に測定された検査対象眼の光学特性と時間の関係を示すグラフである。一例として、図１０では、他覚的に測定された光学特性として、検査対象眼の眼屈折力が用いられている。図１０に例示する光学特性変化グラフのデータには、複数の光学特性の測定結果が測定タイミング毎にプロットされた複数の点２２０のデータが含まれる。また、図１０に例示する光学特性変化グラフのデータには、プロットされた複数の点２２０に基づいて生成された近似曲線２２１のデータも含まれる。しかし、複数の点２２０のデータ、および近似曲線２２１のデータの一方のみが生成されてもよいし、他の形式のグラフのデータが生成されてもよい。ＣＰＵ７１は、光学特性変化グラフのデータを出力してもよいし、光学特性変化グラフを表示部に表示させてもよい。
【０１１４】
図１０に示すように、検査対象眼の眼位が安定すると、検査対象眼の光学特性も安定し易い傾向がある。従って、検査対象眼の光学特性が安定したタイミングを、眼位安定タイミングとして検出することが可能である。ＣＰＵ７１は、固視標の呈示切替時よりも後の複数のタイミングにおける光学特性の他覚的な測定結果に基づいて、眼位安定タイミングを検出することができる。ＣＰＵ７１は、検出した眼位安定タイミングを基準タイミングとして設定することができる。
【０１１５】
複数の光学特性の測定結果から眼位安定タイミングを検出するための具体的な方法も、適宜選択できる。例えば、ＣＰＵ７１は、複数の切替後タイミングにおける光学特性の測定結果から、測定結果の揺らぎを検出することができる。ＣＰＵ７１は、検出した揺らぎが閾値以下となったタイミングを、眼位安定タイミングとして検出することができる。光学特性の測定結果の揺らぎには、眼位測定結果の揺らぎと同様に、標準偏差、最大値と最小値の差、および周波数等の少なくともいずれかを採用することができる。なお、ＣＰＵ７１は、光学特性の測定結果の揺らぎの情報を出力してもよい。また、ＣＰＵ７１は、近似曲線２２１の傾きが閾値以下となったタイミングを、眼位安定タイミングとして検出してもよい。
【０１１６】
なお、ＣＰＵ７１は、眼位安定タイミングを検出した場合、固視標の呈示切替時から眼位安定タイミングまでの時間の情報を出力してもよい。この場合、ユーザは、出力された時間を参照することで、検査対象眼の眼位の状態をより適切に把握することができる。
【０１１７】
（複数の眼位測定結果に基づく眼位ずれ量の算出）
ＣＰＵ７１は、基準タイミング以後の複数のタイミングにおける眼位測定結果から、測定結果の平均値、最大値と最小値の中間値、または、測定された頻度が最も多い最頻値を特定することができる。ＣＰＵ７１は、特定した値と、固視標の呈示切替時以前の眼位測定結果のずれ量を算出することができる。この場合、眼位の変動の影響がさらに抑制されたうえで、眼位ずれ量が算出される。
【０１１８】
なお、ＣＰＵ７１は、固視標の呈示切替時以前の眼位測定結果についても、複数の眼位測定結果の平均値、中間値、または最頻値を特定してもよい。この場合、固視標の呈示切替時以前における眼位の変動の影響も抑制される。
【０１１９】
（測定頻度に基づく眼位ずれ量の算出）
ＣＰＵ７１は、固視標の呈示切替時の前後に亘る期間中の複数の眼位測定結果から、呈示切替時以前において測定された頻度が最も高い眼位測定結果である第１最頻値と、呈示切替時よりも後において測定された頻度が最も高い眼位測定結果である第２最頻値を特定してもよい。ＣＰＵ７１は、第１最頻値と第２最頻値のずれ量を、眼位ずれ量として算出してもよい。
【０１２０】
図１１は、眼位測定結果の値毎の測定頻度を示すヒストグラムの一例である。例えば、検査対象眼に斜位がある場合等には、図１１に示すように、固視標の呈示切替時以前の眼位測定結果の最頻値と、呈示切替時よりも後の眼位測定結果の最頻値が別々に表れる。また、固視標呈示中の眼位は、呈示停止時よりも後の眼位よりも小さい値となる傾向がある。従って、図７および図８に示す眼位検査を行う場合には、２つの最頻値のうち、眼位が小さい方の最頻値を呈示切替時以前の第１最頻値と判断でき、眼位が大きい方の最頻値を呈示切替時よりも後の第２最頻値と判断できる。ＣＰＵ７１は、第１最頻値と第２最頻値のずれ量を眼位ずれ量として算出することで、眼位の変動の影響が抑制された眼位ずれ量を算出することができる。なお、この場合、ＣＰＵ７１は、前述した基準タイミングを取得しなくても、適切な眼位ずれ量を算出することができる。
【０１２１】
ＣＰＵ７１は、複数のタイミングにおける眼位測定結果から、眼位測定結果の値毎の測定頻度を示すヒストグラムのデータを作成してもよい。ＣＰＵ７１は、作成したヒストグラムのデータを出力してもよい。また、ＣＰＵ７１は、ヒストグラムを表示部に表示させてもよい。ヒストグラムを表示部に表示させる場合、ＣＰＵ７１は、眼位ずれ量を算出するために用いられる２つの値（固視標の呈示切替時以前の眼位の値と、呈示切替時よりも後の眼位の値）を、入力された指定指示に基づいて決定してもよい。この場合、ユーザは、ヒストグラムを見ることで、眼位ずれ量を算出するための２つの値を適切に指定することができる。
【０１２２】
以上説明したように、本実施形態の眼科装置１は、固視標の呈示切替時よりも後のタイミング、および、呈示切替時以前のタイミングを含む少なくとも２つのタイミングにおける眼位の測定結果に基づいて、眼位状態情報を生成する。従って、固視標の呈示と非呈示の切替に伴う眼位の状態の変化が、他覚的且つ適切に検査される。
【０１２３】
上記実施形態で開示された技術は一例に過ぎない。従って、上記実施形態で例示された技術の少なくとも一部を変更することも可能である。例えば、上記実施形態で生成される眼位変化グラフのデータは、固視標の呈示切替時以前から、呈示切替時よりも後までのデータである。しかし、ＣＰＵ７１は、固視標の呈示の切替に関わらず、眼位変化グラフのデータを作成してもよい。この場合でも、ユーザは、検査対象眼の眼位に関する状態を、眼位変化グラフによって適切に把握することができる。
【０１２４】
上記実施形態の眼科装置１では、被検者眼の眼前が開放された状態で種々の測定が行われる。つまり、上記実施形態の眼科装置１では、被検者眼から離間した位置に配置された筐体２内に、矯正光学系６０等の構成が内蔵されている。しかし、上記実施形態の構成とは異なる構成の眼科装置にも、上記実施形態で例示された技術の少なくとも一部を適用できる。例えば、眼科装置は、被検者眼の眼前に配置される筐体内に、矯正光学系６０等の構成を内蔵していてもよい。また、眼科装置は、被検者眼の前眼部を撮影する構成を備えた眼屈折力測定装置等であってもよい。
【符号の説明】
【０１２５】
１    眼科装置
７Ｌ    左眼用測定部
７Ｒ    右眼用測定部
１０    他覚式測定部
３１    ディスプレイ
３１Ｋ    固視標
５０    前眼部撮影部
７１    ＣＰＵ
７２    不揮発性メモリ
１１０    前眼部画像
１１１    可視光遮断部材
【図１】
2019063238.tif 000003
【図２】
2019063238.tif 000004
【図３】
2019063238.tif 000005
【図４】
2019063238.tif 000006
【図５】
2019063238.tif 000007
【図６】
2019063238.tif 000008
【図７】
2019063238.tif 000009
【図８】
2019063238.tif 000010
【図９】
2019063238.tif 000011
【図１０】
2019063238.tif 000012
【図１１】
2019063238.tif 000013